(57)【要約】【課題】  本発明は、発光部から出射された光を、さらに拡散光に変換して反射させることができる照明装置の提供を目的とする。【解決手段】  本発明に係る照明装置は、電源部から供給された電力によって光を発光する光源を設けた光源部と、施設の天井面から下方に向い又は施設の壁面から側方に向い突出して設けられ、前記光源部から入射した光を拡散させて周囲を照らす発光部と、前記発光部の上方又は側方に配設され、前記発光部から導出された光を反射させる拡散反射板を設けた拡散反射部と、前記天井面又は壁面に取り付けられ、前記拡散反射部を保持する取付保持部と、を有することを特徴とする。【選択図】  図１
2014099310.tif 000002
【特許請求の範囲】
【請求項１】
電源部から供給された電力によって光を発光する光源を設けた光源部と、
施設の天井面から下方に向い又は施設の壁面から側方に向い突出して設けられ、前記光源部から入射した光を拡散させて周囲を照らす発光部と、
前記発光部の上方又は側方に配設され、前記発光部から導出された光を反射させる拡散反射板を設けた拡散反射部と、
前記天井面又は壁面に取り付けられ、前記拡散反射部を保持する取付保持部と、を有すること
を特徴とする照明装置。
【請求項２】
前記拡散反射板は、前記発光部又は前記光源部を挿通する貫通穴が中央に形成されていること
を特徴とする請求項１に記載の照明装置。
【請求項３】
前記拡散反射板は、前記発光部から導出された光を反射させる湾曲面が形成されていること
を特徴とする請求項１に記載の照明装置。
【請求項４】
前記拡散反射板は、前記発光部から導出された光を反射させる面が鏡状に形成されていること
を特徴とする請求項１に記載の照明装置。
【請求項５】
前記拡散反射板は、表面に点状又は線状から成る凹状部、点状又は線状から成る凸状部、又はそれらを組み合わせたものが複数形成されていること
を特徴とする請求項１に記載の照明装置。
【請求項６】
前記拡散反射板の点状から成る前記凹状部及び前記凸状部は、角錐形状、角錐台形状、円錐形状、円錐台形状、又はそれらを組み合わせた形状から成ること
を特徴とする請求項５に記載の照明装置。
【請求項７】
前記発光部は、板状の導光板を設け、
前記導光板は、前記光源部から入射した光を拡散させる窪み部、突起部、又はそれらを組み合わせたものが複数形成されていること
を特徴とする請求項１に記載の照明装置。
【請求項８】
電源部から供給された電力によって光を発光する光源を設けた光源部と、
施設の天井面から下方に向い突出して設けられ、
入射面から入射させた前記光源部の光を該入射面に対向し分岐した導光片の先端面から導出して周囲を照らす導光板を設けた発光部と、
前記導光板の直下であって、前記導光片の前記先端面の中心軸と同一直線上に配設され、前記先端面からの光を拡散反射させる拡散反射片を設けた拡散反射部と、
前記天井面に取り付けられ、前記拡散反射片を揺動自在に保持する取付保持部と、を有すること
を特徴とする照明装置。
【請求項９】
前記拡散反射片の一面は、水平面に対し、傾斜して形成されていること
を特徴とする請求項８に記載の照明装置。
【請求項１０】
前記拡散反射片は、前記導光板の前記先端面の中心軸と同一直線上に離間して揺動自在に複数配設されていること
を特徴とする請求項８に記載の照明装置。
【請求項１１】
前記拡散反射片の前記一面は、隣接する前記拡散反射片の前記他面に対し、傾斜して形成されていること
を特徴とする請求項８に記載の照明装置。
【請求項１２】
前記拡散反射片は、主面に前記光源から入射された光を拡散光として導出させる導光部がマトリクス状に形成されていること
を特徴とする請求項８に記載の照明装置。
【請求項１３】
前記取付保持部は、前記拡散反射片を吊り下げる吊下部材を設け、
該吊下部材は、前記拡散反射片に形成された貫通穴に挿通されていること
を特徴とする請求項８に記載の照明装置。
【請求項１４】
前記吊下部材は、前記導光板に沿って延在して配設されていること
を特徴とする請求項１３に記載の照明装置。
【発明の詳細な説明】
【技術分野】
【０００１】
本発明は、出射された光を有効に活用できる照明装置に関する。
【背景技術】
【０００２】
従来、平面状に配置された複数の蛍光管等の光源からの光を拡散して広い平面から柔らかい照明光を生じさせるために使用する照明装置に関して、天井や壁面等に多数の蛍光灯等の光源を配置し、その上を多数の照明カバーで覆って面照明を形成する際に照明カバーを容易に開閉可能とした構成がある（例えば、特許文献１参照。）。
【０００３】
また、発光ダイオードを用いた照明装置に関して、方形の第１辺と連設した第３辺及び第４辺を構成する面の屈折率を空気の屈折率よりも大きくし、且つ発光ダイオードからの光が第３辺及び第４辺を構成する面で略全反射するように第３辺及び第４辺を構成する面を形成した構成がある（例えば、特許文献２参照。）。
【先行技術文献】
【特許文献】
【０００４】
【特許文献１】特開２００１−３０７５３３号公報
【特許文献２】特開２００５−１７４７２７号公報
【発明の概要】
【発明が解決しようとする課題】
【０００５】
しかしながら、前述の様な構成では、照明装置から出射された光は、例えば天井面を照らすものの、該天井面で反射した光を十分に活用できていないという問題があった。
【０００６】
そこで、本発明は前述の技術的な課題に鑑み、発光部から出射された光を、さらに拡散光に変換して反射させることができる照明装置の提供を目的とする。
【課題を解決するための手段】
【０００７】
前述の課題を解決すべく、本発明に係る照明装置は、電源部から供給された電力によって光を発光する光源を設けた光源部と、施設の天井面から下方に向い又は施設の壁面から側方に向い突出して設けられ、前記光源部から入射した光を拡散させて周囲を照らす発光部と、前記発光部の上方又は側方に配設され、前記発光部から導出された光を反射させる拡散反射板を設けた拡散反射部と、前記天井面又は壁面に取り付けられ、前記拡散反射部を保持する取付保持部と、を有することを特徴とする。
【発明の効果】
【０００８】
本発明に係る照明装置によれば、発光部から出射された光を、さらに拡散光に変換して反射させることができる。
【図面の簡単な説明】
【０００９】
【図１】本発明の第１の実施形態に係る照明装置１を示す斜視図であり、（ａ）は照明装置１を下方から示す斜視図、（ｂ）は照明装置１を上方から示す斜視図である。
【図２】本発明の第１の実施形態に係る照明装置１を構成毎に分解して下方から示す分解斜視図である。
【図３】本発明の第１の実施形態に係る照明装置１を構成毎に分解して上方から示す分解斜視図である。
【図４】本発明の第１の実施形態に係る照明装置１を構成する拡散反射部３０に設けられ表面３１ｍに様々な凹状部が複数形成された拡散反射板３１を示す断面図であり、（ａ）は所定の深さの凹状部３１ａが複数形成された拡散反射板３１を示す断面図、（ｂ）は角錐形状の凹状部３１ｂが複数形成された拡散反射板３１を示す断面図、（ｃ）は角錐台形状の凹状部３１ｃが複数形成された拡散反射板３１を示す断面図、（ｄ）は円錐形状の凹状部３１ｄが複数形成された拡散反射板３１を示す断面図、（ｅ）は円錐台形状の凹状部３１ｅが複数形成された拡散反射板３１を示す断面図である。
【図５】本発明の第１の実施形態に係る照明装置１を構成する拡散反射部３０に設けられ表面３１ｍに様々な凸状部が複数形成された拡散反射板３１を示す断面図であり、（ａ）は所定の高さの凸状部３１ｆが複数形成された拡散反射板３１を示す断面図、（ｂ）は角錐形状の凸状部３１ｇが複数形成された拡散反射板３１を示す断面図、（ｃ）は角錐台形状の凸状部３１ｈが複数形成された拡散反射板３１を示す断面図、（ｄ）は円錐形状の凸状部３１ｉが複数形成された拡散反射板３１を示す断面図、（ｅ）は円錐台形状の凸状部３１ｊが複数形成された拡散反射板３１を示す断面図である。
【図６】本発明の第１の実施形態に係る照明装置１の光学特性を示す模式図であり、（ａ）は照明装置１の光学特性の一つの例を示す模式図、（ｂ）は照明装置１の光学特性の他の例を示す模式図である。
【図７】本発明の第２の実施形態に係る照明装置２を示す斜視図であり、（ａ）は照明装置２を下方から示す斜視図、（ｂ）は照明装置２を上方から示す斜視図である。
【図８】本発明の第２の実施形態に係る照明装置２の一部を構成毎に分解して下方から示す分解斜視図である。
【発明を実施するための形態】
【００１０】
以下、本発明の照明装置に係る好適な実施形態について、図面を参照しながら説明する。なお、本発明の照明装置は、以下の記述に限定されるものではなく、本発明の要旨を逸脱しない範囲において、適宜変更可能である。以下の記述において、本発明の照明装置を構成する各構成部材の材質及び形状等は、一例であり、他の材質及び形状等に適宜変更可能である。
【００１１】
また、以下の説明においては、最初に本発明の第１の実施形態に係る照明装置１について図１乃至図６を参照しながら説明する。次に本発明の第２の実施形態に係る照明装置２について図７及び図８を参照しながら説明する。さらに本発明に係る照明装置１に設けられた発光部２０の導光板２１及び２２と照明装置２に設けられた拡散反射部７０の拡散反射片７１乃至７３の製造方法について説明する。最後に本発明に係る照明装置１及び２の構成と主な作用効果について請求項毎に説明する。
【００１２】
［第１の実施形態］
本発明の第１の実施形態に係る照明装置１は、図１及び図２に示すように、発光部２０から出射された光を、さらに拡散光に変換して反射させる。以下、本発明の第１の実施形態に係る照明装置１について、図１乃至図６を参照しながら、具体的に説明する。なお、先ず照明装置１の構成について図１乃至図３を参照しながら説明し、次に照明装置１の光学特性について図４乃至図６を参照しながら説明する。
【００１３】
先ず、照明装置１の構成について、図１乃至図５を参照しながら、具体的に説明する。ここで、照明装置１は、図１に示すように、光源部１０、発光部２０、拡散反射部３０及び取付保持部４０に加えて、筐体部５０及び電源部６０から構成されている。そこで、照明装置１が有する上記の構成について、順に説明する。
【００１４】
照明装置１の光源部１０は、図２に示すように、電源部から供給された電力によって光を発光する光源（ＬＥＤ１１）を設けている。
【００１５】
この様な光源部１０は、複数のＬＥＤ１１及び該複数のＬＥＤ１１を所定の配列で実装する光源基板１２から構成されている。以下、光源部１０の各構成部材について順に説明する。光源部１０のＬＥＤ１１は、発光波長が白色で表面実装型の発光ダイオード（ＬＥＤ：Ｌｉｇｈｔ  Ｅｍｉｔｔｉｎｇ  Ｄｉｏｄｅ）から成り、後述する光源基板１２に所定の配列で複数実装されている。また、ＬＥＤ１１には、色温度が３０００ケルビン程度の昼光色又は５５００ケルビン程度の冷白色の仕様のものを選択して用いている。ここで、ＬＥＤ１１の発光波長は、白色に限定されることはなく、赤色、橙色、黄色、緑色、青色、藍色又は紫色のいずれかの色に相当する波長から選択しても良く、又は複数の色を混色して白色に変換する構成としても良い。また、ＬＥＤの発光波長は、可視光領域に限定されることはなく、紫外域の波長を選択した上で、後述する導光板２１及び２２により可視光領域の蛍光を発生させて導出させる構成としても良い。なお、ＬＥＤ１１に換えて、有機発光ダイオード、蛍光管、冷陰極管、白熱電球又はネオン管等を用いても良い。また、光源部１０の光源基板１２は、ＬＥＤ１１を所定の配列で実装するための部材である。この様な光源基板１２は、加工性に優れたガラスエポキシ基板から成り、円盤状に形成されている。ここで、光源基板１２は、図２及び図３に示すように、後述する十字状に組み合わされた導光板２１及び２２の入射面２１ｆ及び２２ｆに沿って、合計９個のＬＥＤ１１を十字状に配列した状態で実装している。
【００１６】
照明装置１の発光部２０は、図２，３に示すように、施設の天井面から下方に向い又は施設の壁面から側方に向い突出して設けられ、光源部１０から入射した光を拡散させて周囲を照らす。
【００１７】
この様な発光部２０の導光板２１及び２２は、アクリル酸又はメタクリル酸を重合して形成したアクリル樹脂又はポリカーボネイト等、可視光領域で透明な樹脂板から成る。ここで、導光板２１及び２２の入射面２１ｆ及び２２ｆから入射したＬＥＤ１１の光は、導光板２１及び２２の内部を伝播した後、該導光板２１及び２２の内部から主面等を介して外部に導出される。また、導光板２１及び２２は、図１に示すように、十字状に組み合わせて配設されている。この様な導光板２１は、図３に示すように、板状から成り、光の入射面２１ｆに対向した先端が、導光片２１ａ、導光片２１ｂ、導光片２１ｃ及び導光片２１ｄの４つに分岐されている。さらに、導光板２１は、導光片２１ｂ及び導光片２１ｃの先端２１ｓの長さが、導光片２１ａ及び導光片２１ｄの先端２１ｔの長さよりも、長くなるように形成されている。また、導光板２１は、導光片２１ａと導光片２１ｂとの間に形成された切欠部２１ｋと、導光片２１ｃと導光片２１ｄとの間に形成された切欠部２１ｎとの深さが、略等しくなるように形成されている。さらに、導光板２１は、切欠部２１ｍの深さが、左右に隣接して形成された切欠部２１ｋ及び切欠部２１ｎの深さよりも、深くなるように形成されている。
【００１８】
また、発光部２０の導光板２１に挿入されて組み合わされる導光板２２は、図３に示すように、板状から成り、導光板２１と同様に、光の入射面２２ｆに対向した先端が、導光片２２ａ、導光片２２ｂ、導光片２２ｃ及び導光片２２ｄの４つに分岐されている。さらに、導光板２２は、導光板２１と同様に、導光片２２ｂ及び導光片２２ｃの先端２２ｓの長さが、導光片２２ａ及び導光片２２ｄの先端２２ｔの長さよりも、長くなるように形成されている。また、導光板２２は、導光板２１と同様に、導光片２２ａと導光片２２ｂとの間に形成された切欠部２２ｋと、導光片２２ｃと導光片２２ｄとの間に形成された切欠部２２ｎとの深さが、略等しくなるように形成されている。さらに、導光板２２は、導光板２１と同様に、切欠部２２ｍの深さが、左右に隣接して形成された切欠部２２ｋ及び切欠部２２ｎの深さよりも、浅くなるように形成されている。ここで、導光板２１の切欠部２１ｍと、導光板２２の入射面２２ｆの中央に設けられた接合部２２ｊが接合するように、導光板２１に対して導光板２２が挿入されている。なお、導光板２１の切欠部２１ｍと導光板２２の接合部２２ｊを接合させた時に、導光板２１の入射面２１ｆと導光板２２の入射面２２ｆが同一平面上に位置するように、導光板２１及び導光板２２が形成されている。
【００１９】
さらに、発光部２０の導光板２１及び２２は、図３に示すように、その主面にＬＥＤ（図２の符号１１に相当）から入射された光を拡散光として導出させる凹部２１ｐ及び２２ｐがマトリクス状に形成されている。また、導光板２１に形成された凹部２１ｐは、四角錐から成り１ｍｍから６ｍｍ間隔で主面に設けられている。ここで、導光板２１に設けられた導光片２１ａ乃至２１ｄには、側面が４面形成され、そのいずれの側面も主面に相当する。また、導光板２１の対向する主面に形成された凹部２１ｐは、当該導光板２１の表裏でその配設位置が相対的に半ピッチずれている。ここで、導光板２１の主面の一方に形成された複数の凹部２１ｐで発生した拡散光の大部分は、略均一な面発光の光として、該導光板２１の主面の他方から導出される。また、導光板２１の凹部２１ｐの深さを、入射面２１ｆから離間する毎に深くなるように形成しても良い。この様に導光板２１の凹部２１ｐを形成することにより、導光板２１の入射面２１ｆから入射されたＬＥＤ１１の光の光量が、入射面２１ｆから離間する毎に減少しても、入射面２１ｆから離間する毎に凹部２１ｐの形状が大きくなるため、凹部２１ｐで発生する拡散光の光量の減少を抑制することができる。したがって、導光板２１が、長尺であり、その短手方向にＬＥＤ１１を配置するような場合であっても、該導光板２１の入射面２１ｆからの距離によらず、導光板２１の主面から均一な面発光を導出させることができる。また、導光板２１の主面に、凸部をマトリクス状に形成しても、凹部をマトリクス状に形成した場合と同様に、拡散光を発生させることができる。ここで、導光板２２に形成された凹部２２ｐの仕様は、上述した導光板２１に形成された凹部２１ｐの仕様と同様である。
【００２０】
なお、発光部２０の導光板２１及び２２は、可視光領域で透明な樹脂板として説明したが、青色や赤色等に着色された樹脂板を用いても良い。また、導光板２１及び２２には、光を照射されることにより拡散光を発する微粒子状の拡散部材を添加した樹脂板を用いても良い。さらに、導光板２１及び２２には、紫外域や可視光領域の光を照射されることにより蛍光を発する蛍光剤を塗布又は添加した樹脂板を用いても良い。また、導光板２１及び２２には、それぞれ防水、防汚及び防塵等の機能を有した図示せぬシリコーンコーティング剤又は硝子コーティング剤を塗布、もしくは防水、防汚及び防塵等の機能を有した図示せぬ透明樹脂を被覆しても良い。
【００２１】
照明装置１の拡散反射部３０は、図１に示すように、発光部２０の上方又は側方に配設され、発光部２０から導出された光を反射させる拡散反射板３１を設けている。
【００２２】
この様な拡散反射部３０は、図２及び図３に示すように、拡散反射板３１及び外枠板３２から構成されている。以下、拡散反射部３０の構成について説明する。拡散反射部３０の拡散反射板３１は、アルミニウム、又は透明材料から成り、円形状の平板又は湾曲板から形成されている。また、拡散反射板３１の下方面に形成された表面３１ｍを、所定の平坦度を有する鏡状に形成しても良い。さらに、拡散反射板３１の表面３１ｍに、点状又は線状から成る凹状部、点状又は線状から成る凸状部、又はそれらを組み合わせたものを形成しても良い。また、拡散反射板３１の上方面に形成された裏面３１ｒには、外部の施設の天井面に当接する半球状の突起３１ｋが、同一円周上に３個形成されている。また、拡散反射部３０の外枠板３２は、アルミニウムから成り、円形状の拡散反射板３１の周囲を囲むように円筒形状から形成されている。ここで、外枠板３２の上端に設けられた外周部３２ｐに、拡散反射板３１の外周部３１ｐが接着剤を用いて接合されている。
【００２３】
また、拡散反射部３０の拡散反射板の表面３１ｍには、点状又は線状から成る凹状部、点状又は線状から成る凸状部、又はそれらを組み合わせたものが複数形成されている。ここで、図４（ａ）に所定の深さの凹状部３１ａが複数形成された拡散反射板３１の表面３１ｍの一部を示している。また、図４（ｂ）に角錐形状の凹状部３１ｂが複数形成された拡散反射板３１の表面３１ｍの一部を示している。また、図４（ｃ）に角錐台形状の凹状部３１ｃが複数形成された拡散反射板３１の表面３１ｍの一部を示している。また、図４（ｄ）に円錐形状の凹状部３１ｄが複数形成された拡散反射板３１の表面３１ｍの一部を示している。また、図４（ｅ）に円錐台形状の凹状部３１ｅが複数形成された拡散反射板３１の表面３１ｍの一部を示している。同様に、図５（ａ）に所定の高さの凸状部３１ｆが複数形成された拡散反射板３１の表面３１ｍの一部を示している。また、図５（ｂ）に角錐形状の凸状部３１ｇが複数形成された拡散反射板３１の表面３１ｍの一部を示している。また、図５（ｃ）に角錐台形状の凸状部３１ｈが複数形成された拡散反射板３１の表面３１ｍの一部を示している。また、図５（ｄ）に円錐形状の凸状部３１ｉが複数形成された拡散反射板３１の表面３１ｍの一部を示している。また、図５（ｅ）に円錐台形状の凸状部３１ｊが複数形成された拡散反射板３１の表面３１ｍの一部を示している。
【００２４】
照明装置１は、図１に示した大部分が天井の内部に備え付けられる部位に相当し天井面又は壁面に取り付けられ拡散反射部３１を保持する取付保持部４０、及び図示せぬ外部の施設の天井面に取り付けられ天井面から吊り下げられる部位に相当する筐体部５０を設けている。以下、取付保持部４０及び筐体部５０の構成について、順に説明する。
【００２５】
取付保持部４０は、図２及び図３に示すように、大部分が天井の内部に備え付けられる部位に相当し、天井面又は壁面に取り付けられ拡散反射部３１を保持する。この様な取付保持部４０は、受電部材４１、支持部材４２、蝶ネジ４３、取付固定部材４４、及び皿ネジ４５から構成されている。以下、取付保持部４０の構成について説明する。
【００２６】
取付保持部４０の受電部材４１は、絶縁部材から成り、矩形状から形成されている。この様な受電部材４１は、外部から受電端子４１ａに供給された交流１００Ｖの電力を、配電端子４１ｂを介して、筐体部５０の口金５７に供給する。また、取付保持部４０の支持部材４２は、ステンレスから成り、Ｌ字状の形状を組み合わせて形成されている。この様な支持部材４２の中央部４２ａに形成された孔に、受電部材４１が挿通されて固定されている。ここで、支持部材４２は、天井裏に配設される。すなわち、支持部材４２は、支持部材４２の中央部４２ａの両端に設けられた支持部４２ｂ及び支持部４２ｃからそれぞれＬ字状に屈折して設けられた当接部４２ｆに形成された孔４２ｅを介して、天井板の内側から図示せぬネジを用いてネジ留めされる。
【００２７】
また、取付保持部４０の蝶ネジ４３は、後述する取付固定部材４４に対して縦方向に形成された長穴４４ａに貫通されている。また、取付保持部４０の取付固定部材４４は、一対から構成され、ステンレスから成り、Ｌ字状に形成されている。この様な取付固定部材４４に形成された長穴４４ａには、蝶ネジ４３が貫通され、支持部材４２と連結されている。また、取付固定部材４４の両端に設けられた当接部４４ｂは、拡散反射部３０の拡散反射板３１の裏面３１ｒに当接している。ここで、取付固定部材４４の当接部４４ｂに形成された穴を介し、皿ネジ４５が拡散反射板３１の裏面３１ｒに形成されたネジ穴３１ｓにネジ留めされている。ここで、照明装置１を天井に取り付ける際には、蝶ネジ４３を緩めて取付固定部材４４を昇降させることにより、拡散反射部３０の高さ調整が容易に行える。したがって、照明装置１を天井面に容易に取り付けることができる。
【００２８】
筐体部５０は、図２及び図３に示すように、天井面から吊り下げられ、主電源収容ケース５１、副電源収容ケース５２、筐体５３、保持部材５４、ナベネジ５５、絶縁ケース５６、及び口金５７から構成されている。以下、筐体部５０の構成について説明する。
【００２９】
筐体部５０の主電源収容ケース５１と副電源収容ケース５２は、接合した場合に、内部に空間を有した円筒形状になるように、２つに分離されて形成されている。また、主電源収容ケース５１は、プラスチックスから成り、円筒形状と半円筒形状が組み合わされて形成されている。同様に、副電源収容ケース５２は、半円筒形状に形成されている。ここで、図２及び図３に示すように、主電源収容ケース５１の内壁５１ａと、副電源収容ケース５２の内壁との間に設けられた内部の空間に、電源部６０の電源基板６１が収容される。また、主電源収容ケース５１の内壁５１ａと外壁５１ｆの間に形成された一対の溝５１ｂと、副電源収容ケース５２の内壁と外壁５２ｆの間に形成された一対の溝で、電源部６０の電源基板６１の両側に設けられた端部６１ａが挟み込まれて係合された状態で、電源部６０の電源基板６１が主電源収容ケース５１及び副電源収容ケース５２に収容される。
【００３０】
筐体部５０の主電源収容ケース５１の端部５１ｇ及び副電源収容ケース５２の端部５２ｇは、光源部１０の光源基板１２の裏面側に配設する。また、主電源収容ケース５１の端部５１ｇの一部からそれぞれ突出して半円筒形状に形成された一対の配線挿通部５１ｃと、副電源収容ケース５２の端部５２ｇの一部からそれぞれ突出して半円筒形状に形成された一対の配線挿通部５２ｃは、それぞれ係合した場合に円筒形状になり、光源部１０の光源基板１２に形成された取付孔１２ｂに挿入される。ここで、主電源収容ケース５１の配線挿通部５１ｃ及び副電源収容ケース５２の配線挿通部５２ｃは、それぞれ係合した場合に貫通孔が形成され、該貫通孔に配線６１ｃを通す。また、主電源収容ケース５１は、円筒形状の部分に、ネジ山が形成された係合部５１ｓを設け、後述する口金５７の内周面に形成されたネジ溝に係合される。
【００３１】
筐体部５０の筐体５３は、アルミニウムから成り、半球形状から形成されている。ここで、筐体５３の内部に、電源部６０を収容した主電源収容ケース５１及び副電源収容ケース５２が納められる。また、電源部６０の電源基板６１で生成された駆動電力は、図示せぬ電線により光源基板１２の取付孔１２ｂを介して、光源部１０の光源基板１２に実装されたＬＥＤ１１に供給される。また、筐体５３の内部に形成された光源基板当接面５３ａに、光源部１０の光源基板１２の裏面が当接される。また、筐体５３の第２の外周面５３ｅに、電源部６０及び光源部１０で発生した熱を効率良く放熱させるために、湾曲した凹凸形状から成る放熱用のフィンを複数形成している。また、第１の外周面５３ｂは、円筒形状から形成されている。この様な第１の外周面５３ｂに対向した内周面が、後述する保持部材５４の側壁５４ｃに当接される。
【００３２】
筐体部５０の保持部材５４は、導光板２１及び導光板２２に係合し、筐体５３に着脱可能に保持する。この様な保持部材５４は、耐熱樹脂から成り、半円盤状から形成されている。また、一対の保持部材５４は、それぞれ該保持部材５４の中央に開口された溝部５４ａを、導光板２２の導光片２２ａに設けられた係合部２２ｈに挿入して係合している。さらに、一対の保持部材５４は、それぞれ該保持部材５４の両端に形成された突起部５４ｂを、導光板２１の導光片２１ａ及び導光片２１ｄの下部にそれぞれ設けられた凹状の係合部２１ｈに挿入して係合している。
【００３３】
筐体部５０のナベネジ５５は、導光板２１に導光板２２が挿入され且つ一対の保持部材５４がそれぞれ係合されている状態で、一対の保持部材５４の孔５４ｄ、及び光源基板１２に開口されたネジ孔１２ａの順で通される。その上で、ナベネジ５５を、筐体５３の光源基板当接面５３ａに設けられたネジ孔５３ｄにネジ留めすることにより、導光板２１と導光板２２及び光源基板１２を筐体５３に対してそれぞれ着脱可能に保持する。なお、ナベネジ５５を、反射剤が含有された接着剤を用いて、保持部材５４の孔５４ｄに対して密封しても良い。
【００３４】
筐体部５０の絶縁ケース５６は、絶縁性を有するプラスチックスから成り、リング状から形成されている。ここで、絶縁ケース５６は、主電源収容ケース５１の係合部５１ｓと、口金５７の内周面に形成されたネジ溝が係合されることで、主電源収容ケース５１及び口金５７に挟み込まれて固定される。また、筐体部５０の口金５７は、電力の供給を受けるものである。なお、口金５７の直径は、一般的なサイズである直径２６ｍｍである。また、口金５７の代わりに、コンセントに差し込んで電力の供給を受けるプラグや、発電機又は蓄電池を接続して電力の供給を受ける端子を用いる構成としても良い。
【００３５】
照明装置１の電源部６０は、図２に示すように、光源部１０に電気的に接続され、外部からの電力を所定の駆動電力に変換して光源部１０に供給する電源基板６１を設けている。
【００３６】
この様な電源部６０は、図２及び図３に示すように、電源基板６１及び電源部品６２から構成されている。以下、電源部６０の構成について説明する。電源部６０の電源基板６１は、筐体部５０の口金５７を介して外部から入力された電力を、光源部１０のＬＥＤ１１の定格に合わせて、外部から送電された電力の電圧を１００Ｖから所定の電圧に変換し、光源部１０のＬＥＤ１１に駆動電力を供給する。また、電源部６０は、筐体部５０の主電源収容ケース５１及び副電源収容ケース５２に収容されている。また、電源基板６１の端部６１ａは、副電源収容ケース５２の溝６２ｂに形成された図示せぬ微小な突起で付勢されて固定される。また、配線６１ｂは、筐体部５０の口金５７に結線されている。同様に、配線６１ｃは、前述した光源部１０の光源基板１２に結線されている。
【００３７】
次に、照明装置１の光学特性について、図３乃至図６を参照しながら、具体的に説明する。
【００３８】
図３に示す導光板２１の入射面２１ｆから入射されたＬＥＤ１１の光の一部は、４つに分岐した導光片２１ａ乃至導光片２１ｄの間にそれぞれ形成された３つの切欠部２１ｋ乃至切欠部２１ｎにより、それぞれ広角に反射させることができる。ここで、切欠部２１ｋ乃至切欠部２１ｎで広角に反射された光の一部は、導光片２１ａ乃至導光片２１ｄにそれぞれ設けられた一主面と該一主面に対向した他主面の間を多重反射する過程で、該一主面又は該他主面から出射される。すなわち、導光板２１の入射面２１ｆから入射されたＬＥＤ１１の光を、入射面２１ｆに対向して形成された先端２１ｓ及び先端２１ｔに加えて、入射面２１ｆに直交した側面からも出射させることができる。また、導光片２１ａ乃至導光片２１ｄにおいて、入射面２１ｆに直交した側面は、それぞれ４面形成されている。したがって、各導光片２１ａ乃至導光片２１ｄの４面から光が広角に出射される。
【００３９】
また、図３に示す導光板２１の入射面２１ｆに直交した４つの側面の中、１つの側面で反射した光がその１つの側面に対向した側面に入射され、入射された光の一部が該対向した側面から出射される。同様に、入射面２１ｆに直交した４つの側面の中、１つの側面で反射した光がその１つの側面に隣接した側面に入射され、入射された光の一部が、該隣接した側面から出射される。さらに、導光板２１に入射した光は、導光板２１の各面の間で全方位に反射することにより先端２１ｓ又は先端２１ｔに斜入射で入射された後、一部の光は該先端２１ｓ又は先端２１ｔから出射されずに入射面２１ｆ側に反射される。したがって、導光板２１では、該導光板２１の入射面２１ｆから入射したＬＥＤ１１の光の中、直進して先端２１ｓ又は先端２１ｔから出射される光の割合を、大幅に減少させることができる。一方、４つの側面のうち対向する２つの側面に凹部２１ｐをマトリクス状に形成し、複数の凹部２１ｐで生成された拡散光が、その４つの側面から出射されることにより、入射面２１ｆから入射したＬＥＤ１１の光を入射面２１ｆに直交した４つの側面から出射される光の割合を、大幅に増加させることができる。すなわち、導光板２１からは、配光角が非常に大きく且つ十分に拡散され目に優しい光が出射される。また、図４（ａ）乃至（ｅ）に示す拡散反射板３１の表面３１ｍに形成された様々な凹状部、及び図５（ａ）乃至（ｅ）に示す拡散反射板３１の表面３１ｍに形成された様々な凸状部により、様々な配光分布を有する拡散光を発生させることができる。
【００４０】
さらに、図６（ａ）に示す導光板２１の導光片２１ａから出射された光Ｌ１１は、拡散反射部３０の拡散反射板３１の表面３１ｍに形成された凹状部３１ｎに入射し、拡散光Ｌ２０を発生させる。同様に、導光板２１の導光片２１ｂから出射された光Ｌ１２、導光板２２から出射された光Ｌ１３、導光板２１の導光片２１ｄから出射された光Ｌ１４、導光板２１の導光片２１ｃから出射された光Ｌ１５、及び導光板２２から出射された光Ｌ１６は、拡散反射部３０の拡散反射板３１の表面３１ｍに形成された凹状部３１ｎに入射し、拡散光Ｌ２０を発生させる。一方、図６（ｂ）に示す導光板２１の導光片２１ａから出射された光Ｌ３１は、拡散反射部３０の拡散反射板３１の表面３１ｍに形成された凹状部３１ｎに入射し、拡散光Ｌ４０を発生させる。同様に、導光板２１の導光片２１ｃから出射された光Ｌ３２は、拡散反射部３０の拡散反射板３１の表面３１ｍに形成された凹状部３１ｎに入射し、拡散光Ｌ４０を発生させる。さらに、拡散光Ｌ４０の一部は、外枠板３２で反射される。
【００４１】
以上、第１の実施形態の照明装置１によれば、発光部２０から出射された光を、さらに拡散光に変換して反射させることができる。
【００４２】
また、第１の実施形態の照明装置１によれば、拡散反射板３１が発光部２０又は光源部１０を挿通していることから、発光部２０から出射された光を、該発光部２０に近接して設けられた拡散反射板３１に入射させることができ、光の伝播効率が向上する。また、第１の実施形態の照明装置１によれば、湾曲した拡散反射板３１が設けられていることにより、導光板２１及び２２から出射された光が拡散反射板３１に入射し、所定の範囲の角度で放射状に反射させることができる。さらに、第１の実施形態の照明装置１によれば、拡散反射板３１の表面が鏡状に形成されていることにより、導光板２１及び２２から出射され拡散反射板３１に入射した光を、高反射率で反射させることができる。
【００４３】
さらに、第１の実施形態の照明装置１によれば、拡散反射板３１の表面３１ｍに点状又は線状から成る凹状部、点状又は線状から成る凸状部、又はそれらを組み合わせたものを複数形成することにより、導光板２１及び２２から出射された光が拡散反射板３１に入射し、様々な光強度分布を有する拡散光に変換することができる。同様に、第１の実施形態の照明装置１によれば、拡散反射板３１の点状から成る凹状部及び凸状部を、角錐形状、角錐台形状、円錐形状、円錐台形状、又はそれらを組み合わせた形状に形成することにより、導光板２１及び２２から出射された光が拡散反射板３１に入射し、様々な配光分布を有する拡散光に変換することができる。
【００４４】
ここで、第１の実施形態の照明装置１によれば、導光板２１及び２２の主面に、光源から入射された光を拡散光として導出させる凹部又は凸部をマトリクス状に形成することにより、導光板２１及び２２に形成された凹部又は凸部で発生した複数の拡散光は略均等な面光源として、導光板２１及び２２の一側面及び他側面から導出される。ここで、導光板２１及び２２に形成された凹部又は凸部で発生した拡散光は、視認者の目に眩しく感じることが無く、該視認者に自然に近い優しい光として視認させることができる。
【００４５】
［第２の実施形態］
以下、本発明の第２の実施形態に係る照明装置２について、図７及び図８を参照しながら、具体的に説明する。
【００４６】
なお、本発明の第２の実施形態に係る照明装置２は、図７に示すように、導光板２１及び２２の先端面からの光を拡散反射させる拡散反射片７１乃至７３を設けた拡散反射部７０に特徴を有している。また、それ以外の第２の実施形態に係る構成は、第１の実施形態で述べた構成と同様である。そこで、第２の実施形態においては、第１の実施形態と異なる拡散反射部７０の構成、及び該拡散反射部７０を保持する取付保持部８０を中心にして説明する。
【００４７】
照明装置２の拡散反射部７０は、図７に示すように、導光板２１及び２２の直下であって、導光片の先端面２１ｓ、２１ｔ、２２ｓ及び２２ｔの中心軸と同一直線上に配設され、先端面２１ｓ、２１ｔ、２２ｓ及び２２ｔからの光を拡散反射させる拡散反射片７１乃至７３を設けている。ここで、拡散反射片７１乃至７３が空調等により揺動した場合に、導光片の先端面２１ｓ、２１ｔ、２２ｓ及び２２ｔのから出射された光を、拡散反射片７１乃至７３にて反射させることができる。さらに、導光片の先端面２１ｓ、２１ｔ、２２ｓ及び２２ｔのから出射された光を、拡散反射片７１と拡散反射片７２との間、及び拡散反射片７２と拡散反射片７３との間で、それぞれ多重反射させることができる。
【００４８】
この様な拡散反射片７１乃至７３は、前述した発光部２０の導光板２１及び２２と、同様の材質から成る。また、拡散反射片７１乃至７３は、それぞれ略同一形状から成り、角柱形状に形成され、その上部に相当する一面７１ａ乃至７３ａ、及び下部に相当する他面７１ｂ乃至７３ｂが、それぞれ切り欠かれ斜面となっている。したがって、拡散反射片７１乃至７３の一面７１ａ乃至７３ａと他面７１ｂ乃至７３ｂとの間に設けられた側面７１ｃ乃至７３ｃは、台形形状に形成されている。ここで、拡散反射片７１の上部には、後述する吊下部材８７を挿通させるための孔７１Ｖが開口されている。また、拡散反射片７１の下端には、後述する吊下部材８８を挿通させるための孔７１Ｗが開口されている。同様に、拡散反射片７２の上端及び下端には、それぞれ吊下部材８８を挿通させるための孔７２Ｗが開口されている。同様に、拡散反射片７３の上端には、吊下部材８８を挿通させるための孔７３Ｗが開口されている。さらに、拡散反射片７１乃至７３の側面７１ｃ乃至７３ｃには、図８に示すように、ＬＥＤ１１の光を拡散光として反射させる凹部７１ｐ乃至７３ｐがマトリクス状にそれぞれ形成されている。
【００４９】
照明装置２は、第１の実施形態に係る照明装置１において前述した筐体部５０、及び第２の実施形態に係る照明装置２に特有の取付保持部８０を設けている。なお、取付保持部８０の構成の一部は、第１の実施形態において前述した取付保持部４０の構成と同様である。ここで、取付保持部８０は、天井面に取り付けられ、拡散反射片７１乃至７３を揺動自在に保持する。この様な取付保持部８０は、図８に示すように、受電部材８１、支持部材８２、蝶ネジ８３、取付固定部材８４、皿ネジ８５、吊下保持部材８６、吊下部材８７及び８８から構成されている。以下、取付保持部８０の構成について順に説明する。
【００５０】
取付保持部８０の受電部材８１は、図８に示すように、前述した取付保持部４０の受電部材４１と同一の構成である。また、取付保持部８０の支持部材８２は、前述した取付保持部４０の支持部材４２と一部の形状を除いて同様の構成である。すなわち、支持部材８２は、その上部８２ａが支持部材４２の中央部４２ａと比較して小さく、支持部８２ｂの間隔が狭いことを除き、支持部材４２と略同様の構成である。これは、支持部材８２が支持する吊下保持部材８６が、前述した支持部材４２が支持する拡散反射板３１よりも小さいことによる。取付保持部８０の蝶ネジ８３は、前述した蝶ネジ４３と同様の物品であり、後述する取付固定部材８４に縦方向に形成された長穴８４ａに貫通されている。また、取付保持部８０の取付固定部材８４は、一対から構成され、ステンレスから成り、平板状に形成されている。この様な取付固定部材８４の中心に縦長に形成された長穴８４ａには、蝶ネジ８３が貫通され、ナットを介して支持部材８２と連結されている。また、皿ネジ８５が、取付固定部材８４の下部に形成された穴に挿入され、後述する吊下保持部材８６の外壁面８６ａに形成されたネジ穴８６ｂにネジ留めされている。ここで、照明装置２を天井に取り付ける際には、蝶ネジ８３を緩めてから吊下保持部材８６を昇降させることにより、該吊下保持部材８６の高さ調整を容易に行うことができる。
【００５１】
取付保持部８０の吊下保持部材８６は、アルミニウム合金から成り、内部に空間を設けた４角柱形状に形成され、前述した筐体部５０の筐体５３等を収納している。ここで、吊下保持部材８６の外壁面８６ａの対向する２面にはネジ穴８６ｂがそれぞれ形成され、複数の皿ネジ８５を介して、一組の取付固定部材８４が対向して接合されている。また、吊下保持部材８６の内壁面８６ｄの四隅に形成された突起８６ｅには、それぞれ円形状の差込穴８６ｄが開口されている。その差込穴８６ｄには、後述する吊下部材８７の先端８７ａが差し込まれている。その様な状態で、吊下保持部材８６の外壁面８６ａから内壁面８６ｄに向かって形成された図示せぬ複数のネジ溝に対して図示せぬセットスクリューがそれぞれ挿入され、該セットスクリューで吊下部材８７の先端８７ａを押圧して固定している。また、取付保持部８０の吊下部材８７は、細長い円柱形状のステンレス鋼から成り、拡散反射片７１の上部に形成された孔７１Ｖに挿通された状態で、両側から屈折されてコの字状に形成されている。また、取付保持部８０の吊下部材８８は、細い円柱形状のステンレス鋼から成り、拡散反射片７１の下端に形成された孔７１Ｗ、及び拡散反射片７２の上端に形成された孔７２Ｗに挿通された状態で、屈折されて矩形状に形成されている。同様に、吊下部材８８は、拡散反射片７２の下端に形成された孔７２Ｗ、及び拡散反射片７３の上端に形成された孔７３Ｗに挿通された状態で、屈折されて矩形状に形成されている。
【００５２】
以上、第２の実施形態の照明装置２によれば、第１の実施形態の照明装置１と同様に、発光部２０から出射された光を、さらに拡散光に変換して反射させることができる。
【００５３】
また、特に第２の実施形態の照明装置２によれば、導光板２１及び２２の入射面に対向した先端面から離間して配設され、導光板２１及び２２の先端面から出射された光を一面７１ａ乃至７３ａから入射させて他面７１ｂ乃至７３ｂから出射させる拡散反射片７１乃至７３を設けた拡散反射部７０により、導光板２１及び２２の先端面から出射された光を拡散反射させることができる。さらに、第２の実施形態の照明装置２によれば、拡散反射片７１の一面７１ａの中心と導光板２１及び２２の先端面の中心が一直線上に配設されていることから、導光板２１及び２２から拡散反射片７１に対して光源の光を反射させ易くすることができる。また、第２の実施形態の照明装置２によれば、拡散反射片７１の一面７１ａが水平面に対し傾斜して形成されていることから、導光板２１及び２２の先端面から拡散反射片７１に対して伝播する光の一部を、照明装置２の円周上に向けて反射させることができる。したがって、その反射させた光により、照明装置２の水平方向に向かって照明することができる。
【００５４】
さらに、第２の実施形態の照明装置２によれば、拡散反射片７１乃至７３が光源の光軸に対して線上に離間した状態で揺動した場合に、拡散反射片７１と拡散反射片７２、及び該拡散反射片７２と拡散反射片７３の間の空間で、伝播する光の一部を多重反射させることにより周囲を均等に照明することができる。また、第２の実施形態の照明装置２によれば、拡散反射片７１乃至７３の一面７１ａ乃至７３ａは、隣接する拡散反射片７１乃至７３の他面７１ｂ乃至７３ｂに対し、傾斜して形成されていることから、拡散反射片７１から拡散反射片７２に対して伝播する光の一部、及び該拡散反射片７２から拡散反射片７３に対して伝播する光の一部を、照明装置２の円周上に向けて反射させることができる。したがって、その反射させた光により、照明装置２の水平方向に向かって照明することができる。また、第２の実施形態の照明装置２によれば、拡散反射片７１乃至７３の主面に、光源から入射された光を拡散光として反射させる凹部又は凸部がマトリクス状に形成されていることから、拡散反射片７１乃至７３に形成された凹部又は凸部で反射した複数の拡散光が略均等な面光源として導出される。ここで、拡散反射片７１乃至７３に形成された凹部又は凸部で発生した拡散光は、視認者の目に眩しく感じることが無く、該視認者に自然に近い優しい光として視認させることができる。
【００５５】
次に、本発明に係る照明装置１に設けられた、発光部２０の導光板２１及び２２と照明装置２に設けられた拡散反射部７０の拡散反射片７１乃至７３の製造方法について、具体的に説明する
【００５６】
導光板２１及び２２と拡散反射片７１乃至７３の製造方法には、超音波加工、加熱加工、切削加工、レーザ加工、成型加工及びシルク印刷加工を用いることができる。したがって、導光板２１及び２２と拡散反射片７１乃至７３の仕様やコスト及び必要数量等に応じて、各加工方法を選択することにより、凹状又は凸部を導光板２１及び２２と拡散反射片７１乃至７３の各面に精度良く安定的に形成することができる。以下、導光板２１及び２２と拡散反射片７１乃至７３の製造方法について詳細に説明する。超音波加工では、導光板２１及び２２と拡散反射片７１乃至７３の各面に当接させた超音波加工用ホーンの超音波の振動を用いて、導光板２１及び２２と拡散反射片７１乃至７３の各面を部分的に溶融させることにより、該各面に凹部を形成する。また、加熱加工では、導光板２１及び２２と拡散反射片７１乃至７３の各面に当接させた加工具の熱を用いて、導光板２１及び２２と拡散反射片７１乃至７３の各面を部分的に溶融させることにより、該各面に凹部を形成する。同様に、切削加工では、導光板２１及び２２と拡散反射片７１乃至７３の各面に当接しながら回転又は付勢させた切削工具を用いて、導光板２１及び２２と拡散反射片７１乃至７３の各面を部分的に削り取ることにより、該各面に凹部を形成する。同様に、レーザ加工では、導光板２１及び２２と拡散反射片７１乃至７３の各面に集光させたレーザ光の熱を用いて、導光板２１及び２２と拡散反射片７１乃至７３の各面を部分的に溶融させることにより、該各面に凹部を形成する。同様に、成型加工では、成型する導光板２１及び２２と拡散反射片７１乃至７３の外形形状を反映させた形状を金型の内部に形成し、射出成型機に装着した金型に対して加熱して軟化させた樹脂を注入してから、該樹脂を冷却させることにより、導光板２１及び２２と拡散反射片７１乃至７３の各面に凹部、凸部、又は凹状及び凸部を形成する。
【００５７】
また、シルク印刷加工では、導光板２１及び２２と拡散反射片７１乃至７３の各面に対して所定の孔が開口した版を当接させ、孔を介して硬化性の樹脂を各面に付着させて、該各面を部分的に樹脂で被覆させることにより、該各面に凸部を形成する。また、成型加工又はシルク印刷加工に用いる導光板２１及び２２と拡散反射片７１乃至７３の基材である樹脂に、拡散光を発する微粒子状の拡散部材を添加しても良い。同様に、上述した超音波加工、加熱加工、切削加工、又はレーザ加工を行う導光板２１及び２２と拡散反射片７１乃至７３の基材である樹脂に、拡散光を発する微粒子状の拡散部材を添加したものを用いても良い。なお、上述した超音波加工、加熱加工、切削加工、レーザ加工、成型加工、及びシルク印刷加工を組み合わせて導光板２１及び２２と拡散反射片７１乃至７３を形成しても良い。すなわち、成型加工により導光板２１及び２２と拡散反射片７１乃至７３の外形形状のみを形成した上で、超音波加工により導光板２１及び２２と拡散反射片７１乃至７３の各面に凹部を形成しても良い。同様に、成型加工により導光板２１及び２２と拡散反射片７１乃至７３の外形形状のみを形成した上で、シルク印刷加工により導光板２１及び２２と拡散反射片７１乃至７３の各面に凸部を形成しても良い。
【００５８】
最後に、本発明に係る照明装置１及び２の構成と主な作用効果について、請求項毎に具体的に説明する。
【００５９】
請求項１に記載の照明装置１及び２は、電源部から供給された電力によって光を発光する光源（ＬＥＤ１１）を設けた光源部１０と、施設の天井面から下方に向い又は施設の壁面から側方に向い突出して設けられ、光源部１０から入射した光を拡散させて周囲を照らす発光部２０と、発光部２０の上方又は側方に配設され、発光部２０から導出された光を反射させる拡散反射板３１を設けた拡散反射部３０と、天井面又は壁面に取り付けられ、拡散反射部３１を保持する取付保持部４０と、を有することを特徴としている。
【００６０】
この様な請求項１に記載の照明装置１及び２によれば、発光部２０から出射された光を、さらに拡散光に変換して反射させることができる。
【００６１】
請求項２に記載の照明装置１及び２は、請求項１に従属し、拡散反射板３１は、発光部２０又は光源部１０を挿通する貫通穴が中央に形成されていることを特徴としている。
【００６２】
この様な請求項２に記載の照明装置１及び２によれば、発光部２０から出射された光を、該発光部２０の上部に非常に近接して設けられた拡散反射板３１に入射させることができる。したがって、光の伝播効率が向上する。
【００６３】
請求項３に記載の照明装置１及び２は、請求項１に従属し、拡散反射板３１は、発光部２０から導出された光を反射させる湾曲面が形成されていることを特徴としている。
【００６４】
この様な請求項３に記載の照明装置１及び２によれば、導光板２１及び２２から出射され拡散反射板３１に入射した光を、所定の範囲の角度で放射状に反射させることができる。
【００６５】
請求項４に記載の照明装置１及び２は、請求項１に従属し、拡散反射板３１は、表面が鏡状に形成されていることを特徴としている。
【００６６】
この様な請求項４に記載の照明装置１及び２によれば、導光板２１及び２２から出射され拡散反射板３１に入射した光を、高反射率で反射させることができる。
【００６７】
請求項５に記載の照明装置１及び２は、請求項１に従属し、拡散反射板３１は、表面に点状又は線状から成る凹状部、点状又は線状から成る凸状部、又はそれらを組み合わせたものが複数形成されていることを特徴としている。
【００６８】
この様な請求項５に記載の照明装置１及び２によれば、導光板２１及び２２から出射され拡散反射板３１に入射した光を、様々な光強度分布を有する拡散光に変換することができる。
【００６９】
請求項６に記載の照明装置１及び２は、請求項５に従属し、拡散反射板３１の点状から成る凹状部及び凸状部は、角錐形状、角錐台形状、円錐形状、円錐台形状、又はそれらを組み合わせた形状から成ることを特徴としている。
【００７０】
この様な請求項６に記載の照明装置１及び２によれば、導光板２１及び２２から出射され拡散反射板３１に入射した光を、様々な配光分布を有する拡散光に変換することができる。
【００７１】
請求項７に記載の照明装置１及び２は、請求項１に従属し、導光板２１及び２２は、主面に光源から入射された光を拡散光として導出させる凹部又は凸部がマトリクス状に形成されていることを特徴としている。
【００７２】
この様な請求項７に記載の照明装置２によれば、導光板２１及び２２に形成された凹部又は凸部で発生した複数の拡散光が略均等な面光源として、導光板２１及び２２の一側面及び他側面から導出される。ここで、導光板２１及び２２に形成された凹部又は凸部で発生した拡散光は、視認者の目に眩しく感じることが無く、該視認者に自然に近い優しい光として視認させることができる。
【００７３】
請求項８に記載の照明装置２は、請求項１に従属し、電源部から供給された電力によって光を発光する光源（ＬＥＤ１１）を設けた光源部１０と、施設の天井面から下方に向い突出して設けられ、入射面から入射させた光源部１０の光を該入射面に対向し分岐した導光片の先端面から導出して周囲を照らす導光板２１及び２２を設けた発光部２０と、導光板２１及び２２の直下であって、導光片の先端面の中心軸と同一直線上に配設され、先端面からの光を拡散反射させる拡散反射片７１乃至７３を設けた拡散反射部７０と、天井面に取り付けられ、拡散反射片７１乃至７３を揺動自在に保持する取付保持部８０と、を有することを特徴としている。
【００７４】
この様な請求項８に記載の照明装置２によれば、照明装置１と比較して、揺動する拡散反射片７１乃至７３を用い、導光板２１及び２２の先端面から出射された光を拡散反射させることができる。
【００７５】
請求項９に記載の照明装置２は、請求項８に従属し、拡散反射片７１の一面７１ａは、水平面に対して傾斜して形成されていることを特徴としている。
【００７６】
この様な請求項９に記載の照明装置２によれば、導光板２１及び２２から拡散反射片７１に対して、光源の光を反射させ易くすることができる。
【００７７】
請求項１０に記載の照明装置２は、請求項８に従属し、拡散反射片７１乃至７３は、導光板２１及び２２の先端面の中心軸と同一直線上に離間して揺動自在に複数配設されていることを特徴としている。
【００７８】
この様な請求項１０に記載の照明装置２によれば、拡散反射片７１乃至７３が、導光板２１及び２２の先端面の中心軸と同一直線上に離間した状態で揺動した場合に、拡散反射片７１と拡散反射片７２、及び該拡散反射片７２と拡散反射片７３の間の空間で、伝播する光の一部を多重反射させることにより周囲を均等に照明することができる。
【００７９】
請求項１１に記載の照明装置２は、請求項８に従属し、拡散反射片７１乃至７３の一面７１ａ乃至７３ａは、隣接する拡散反射片７１乃至７３の他面７１ｂ乃至７３ｂに対し、傾斜して形成されていることを特徴としている。
【００８０】
この様な請求項１１に記載の照明装置２によれば、拡散反射片７１から拡散反射片７２に対して伝播する光の一部、及び該拡散反射片７２から拡散反射片７３に対して伝播する光の一部を、照明装置２の円周上に向けて反射させることができる。したがって、その反射させた光により、照明装置２の水平方向に向かって照明することができる。
【００８１】
請求項１２に記載の照明装置２は、請求項８に従属し、拡散反射片７１乃至７３は、主面に光源（ＬＥＤ１１）から入射された光を拡散光として導出させる凹部又は凸部がマトリクス状に形成されていることを特徴としている。
【００８２】
この様な請求項１２に記載の照明装置２によれば、拡散反射片７１乃至７３に形成された凹部又は凸部で反射した複数の拡散光が、略均等な面光源として、拡散反射片７１乃至７３から導出される。ここで、拡散反射片７１乃至７３に形成された凹部又は凸部で発生した拡散光は、視認者の目に眩しく感じることが無く、該視認者に自然に近い優しい光として視認させることができる。
【００８３】
請求項１３に記載の照明装置２は、請求項８に従属し、拡散反射片７１乃至７３を吊り下げる吊下部材８７及び８８を設け、該吊下部材８７及び８８は、拡散反射片７１乃至７３に形成された貫通穴に挿通されていることを特徴としている。
【００８４】
この様な請求項１３に記載の照明装置２によれば、簡便な構成から成る吊下部材８７及び８８を用いて、拡散反射片７１乃至７３を吊り下げることができる。さらに、吊下部材８７及び８８に入射した光により、散乱光を発生させることができる。
【００８５】
請求項１４に記載の照明装置２は、請求項１３に従属し、吊下部材８７及び８８は、導光板２１及び２２に沿って延在して配設されていることを特徴としている。
【００８６】
この様な請求項１４に記載の照明装置２によれば、吊下部材８７及び８８が導光板２１及び２２に近接していることから、吊下部材８７及び８８を目立たない状態で配設することができる。
【符号の説明】
【００８７】
１，２  照明装置、１０  光源部、１１  ＬＥＤ、１２  光源基板、１２ａ  ネジ孔、１２ｂ  取付孔、２０  発光部、２１，２２  導光板、２１ａ，２１ｂ，２１ｃ，２１ｄ，２２ａ，２２ｂ，２２ｃ，２２ｄ  導光片、２１ｆ，２２ｆ  入射面、２１ｈ，２２ｈ  係合部、２１ｋ，２１ｍ，２１ｎ，２２ｋ，２２ｍ，２２ｎ  切欠部、２１ｐ，２２ｐ  凹部、２１ｓ，２１ｔ，２２ｓ，２２ｔ  先端面、２２ｊ  接合部、３０  拡散反射部、３１  拡散反射板、３１ａ，３１ｂ，３１ｃ，３１ｄ，３１ｅ  凹状部、３１ｆ，３１ｇ，３１ｈ，３１ｉ，３１ｊ  凸状部、３１ｋ  突起、３１ｍ  表面、３１ｎ  凹状部、３１ｐ  外周部、３１ｒ  裏面、３１ｓ  ネジ穴、３２  外枠板、３２ｐ  外周部、４０  取付保持部、４１  受電部材、４１ａ  受電端子、４１ｂ  配電端子、４２  支持部材、４２ａ  中央部、４２ｂ，４２ｃ  支持部、４２ｅ  当接部、４２ｆ  孔、４３  蝶ネジ、４４  取付固定部材、４４ａ  長穴、４４ｂ  当接部、４５  皿ネジ、５０  筐体部、５１  主電源収容ケース、５２  副電源収容ケース、５１ａ  内壁、５１ｂ  溝、５１ｃ，５２ｃ  配線挿通部、５１ｆ，５２ｆ  外壁、５１ｇ，５２ｇ  端部、５１ｓ  係合部、５３  筐体、５３ａ  光源基板当接面、５３ｂ  第１の外周面、５３ｄ  ネジ孔、５３ｅ  第２の外周面、５４  保持部材、５４ａ  溝部、５４ｂ  突起部、５４ｃ  側壁、５４ｄ  孔、５５  ナベネジ、５６  絶縁ケース、５７  口金、６０  電源部、６１  電源基板、６１ａ  端部、６１ｂ，６１ｃ  配線、６２  電源部品、６２ｂ  溝、７０  拡散反射部、７１，７２，７３  拡散反射片、７１ａ，７２ａ，７３ａ  一面、７１ｂ，７２ｂ，７３ｂ  他面、７１ｃ，７２ｃ，７３ｃ  側面、７１ｐ，７２ｐ  凹部、７１Ｖ，７１Ｗ，７２Ｗ，７３Ｗ  孔、８０  筐体部、８１  受電部材、８２  支持部材、８２ａ  上部、８２ｂ  支持部、８３  蝶ネジ、８４  取付固定部材、８４ａ  長穴、８５  皿ネジ、８６  吊下保持部材、８６ａ  外壁面、８６ｂ  ネジ穴、８６ｄ  内壁面、８６ｄ  差込穴、８６ｅ  突起、８７，８８  吊下部材、８７ａ  先端、Ｌ１１，Ｌ１２，Ｌ１３，Ｌ１４，Ｌ１５，Ｌ１６，Ｌ３１，Ｌ３２  光、Ｌ２０，Ｌ４０  拡散光。
【図１】
2014099310.tif 000003
【図２】
2014099310.tif 000004
【図３】
2014099310.tif 000005
【図４】
2014099310.tif 000006
【図５】
2014099310.tif 000007
【図６】
2014099310.tif 000008
【図７】
2014099310.tif 000009
【図８】
2014099310.tif 000010